(57)【要約】【課題】インバータおよびジャンクションボックスを一体としたインバータモジュールを提供する。【解決手段】回路板２００は、カバー１００内に収納され、一方の面にインバータ回路３００および接線回路４００が半田付けされている。接線回路４００は、複数の導電端子４１０および複数のダイオード４２０を有する。複数の導電端子４１０は、それぞれインバータ回路３００に電気的に接続している。任意の隣り合う二つの導電端子４１０の間には、ダイオード４２０が配置されている。ダイオード４２０も隣り合う二つの導電端子４１０とそれぞれ電気的に接続している。インバータ回路３００、導電端子４１０およびダイオード４２０を回路板２００上に統合して設けるため、ジャンクションボックスを設ける必要がなく、スペースを削減することができる。【選択図】図１
0003185702.tif 000002
【実用新案登録請求の範囲】
【請求項１】
穿孔を設けたカバーと、
前記カバー内に収納され、一方の面にインバータ回路および接線回路が半田付けされ、前記接線回路は複数の導電端子および複数のダイオードを有し、前記複数の導電端子はそれぞれ前記インバータ回路に電気的に接続し、任意の隣り合う前記二つの導電端子の間には前記ダイオードが配置され、前記ダイオードも隣り合う前記二つの導電端子とそれぞれ電気的に接続している回路板と、を含むことを特徴とするインバータモジュール。
【請求項２】
前記カバーは、框体および蓋を有し、前記框体は開口、および前記開口に対する底板を有し、前記蓋は前記開口を覆うのに用いられ、前記開口の片側に枢接されていることを特徴とする請求項１に記載のインバータモジュール。
【請求項３】
前記穿孔は、前記框体に設けられていることを特徴とする請求項２に記載のインバータモジュール。
【請求項４】
前記穿孔は、前記框体の前記底板に設けられていることを特徴とする請求項２に記載のインバータモジュール。
【請求項５】
前記底板は、螺着孔を設けた固定片を外側縁から延伸させていることを特徴とする請求項２に記載のインバータモジュール。
【請求項６】
前記框体は、前記底板の外側の面に内側に凹むように放熱空間を形成していることを特徴とする請求項２に記載のインバータモジュール。
【請求項７】
前記回路板は、前記カバーに接触している導熱板を着設していることを特徴とする請求項１に記載のインバータモジュール。
【請求項８】
前記接線回路は、嵌め込みスペースを設け、前記インバータ回路は複数の電子デバイスを有し、前記電子デバイスが前記嵌め込みスペース内に配置されることを特徴とする請求項１に記載のインバータモジュール。
【請求項９】
前記框体は、前記インバータ回路にそれぞれ電気的に接続する一対の入力ポートを外側に設けていることを特徴とする請求項２に記載のインバータモジュール。
【請求項１０】
前記回路板は、一辺が前記穿孔に隣接するように配置され、前記複数の導電端子は前記回路板の一辺に沿って直列に設けられ、前記インバータ回路および前記接線回路は異なる位置に設けられていることを特徴とする請求項２に記載のインバータモジュール。
【考案の詳細な説明】
【技術分野】
【０００１】
本考案は、ソーラーパネルに用いられるインバータに関し、特に、インバータおよびジャンクションボックスを統合したインバータモジュールに関する。
【背景技術】
【０００２】
地球の有するエネルギー資源が徐々に枯渇し、エネルギー危機を引き起こす恐れがあるため、省エネ観念が浸透しつつあるが、既存のエネルギーを節約する以外に、新しい代替エネルギーの開発が重要な課題である。なかでも無限の光エネルギーが最良の代替エネルギーである。
【０００３】
ソーラーパネルは、光起電力効果により光エネルギーを直流電流に変換するが、伝達のため直流電流を交流電流にさらに変換する必要があった。そのため、ソーラーパネルには、インバータに接続して直交流変換を行い、出力を行なっていた。従来のソーラーパネルには、ジャンクションボックスによりインバータが接続されていたが、装着が面倒でスペースを無駄にするという短所があった。
【先行技術文献】
【特許文献】
【０００４】
【特許文献１】特開平９−２７１１７９号公報
【考案の概要】
【考案が解決しようとする課題】
【０００５】
本考案の目的は、インバータおよびジャンクションボックスを統合したインバータモジュールを提供することにある。
【課題を解決するための手段】
【０００６】
上述の目的を達成するため、本考案は、インバータモジュールを提供する。本考案のインバータモジュールは、カバーおよび回路板を含む。カバーは、穿孔を設けている。回路板は、カバー内に収納され、一方の面にインバータ回路および接線回路が半田付けされている。接線回路は、複数の導電端子および複数のダイオードを有する。複数の導電端子は、それぞれインバータ回路に電気的に接続している。任意の隣り合う二つの導電端子の間には、ダイオードが配置されている。ダイオードも隣り合う二つの導電端子とそれぞれ電気的に接続している。
【考案の効果】
【０００７】
本考案のインバータモジュールは、インバータ回路、導電端子およびダイオードを回路板上に統合して設けるため、従来のジャンクションボックスを設ける必要がなく、インバータモジュールを配置するスペースを削減することができる。また、製造および組立において、従来技術より大幅に簡単になった。さらに、インバータ回路は、電子デバイスを回路板の嵌め込みスペース内に配置することにより、カバーの厚さを減少させることができる。
【図面の簡単な説明】
【０００８】
【図１】本考案の一実施形態によるインバータモジュールを示す分解斜視図である。
【図２】本考案の一実施形態によるインバータモジュールを示す斜視図である。
【図３】本考案の一実施形態によるインバータモジュールを示す斜視図である。
【図４】本考案の一実施形態によるインバータモジュールを示す断面図である。
【図５】本考案のインバータモジュールの配置状態を示す分解斜視図である。
【図６】本考案のインバータモジュールの配置状態を示す斜視図である。
【図７】本考案のインバータモジュールの配置状態を示す断面図である。
【考案を実施するための形態】
【０００９】
以下、本考案の実施形態を図面に基づいて説明する。
【実施例】
【００１０】
図１〜４を参照して説明する。図１は、本考案の一実施形態によるインバータモジュールを示す分解斜視図である。図２は、本考案の一実施形態によるインバータモジュールを示す斜視図である。図３は、本考案の一実施形態によるインバータモジュールを示す斜視図である。図４は、本考案の一実施形態によるインバータモジュールを示す断面図である。図１〜４に示すように、本考案のインバータモジュールは、ソーラーパネル１０(図５，６参照）に接続され、カバー１００および回路板２００を含む。
【００１１】
カバー１００は、框体１１０および蓋１２０を有する。框体１１０は、四角形を呈し、開口１１１、および開口１１１に対する底板１１２を有する。底板１１２には、細長い開口１１１が設けられている。框体１１０は、外側に入力ポート１０１および出力ポート１０２を一対ずつそれぞれ設けている。底板１１２の外側の面に内側に凹むように放熱空間１０３が形成されている。底板１１２は、外側縁から固定片１１４が延伸している。
【００１２】
蓋１２０は、開口１１１を覆うのに用いられ、開口１１１の片側に枢接されるのが好適で、開口１１１の反対側にある嵌合構造１２１により嵌合固定を行なう。框体１１０は、蓋１２０との間に防水パッキング１３１を設け、蓋１２０が開口１１１に被せられると、防水パッキング１３１が蓋１２０と開口１１１との間に挟まれ、カバー１００を密閉する。固定片１１４が螺着孔１１５も設けているため、カバー１００は、螺着孔１１５上で螺着方式によりソーラーパネル１０(図５，６参照）に固定される。
【００１３】
回路板２００は、四角形を呈し、框体１１０内に収納され、框体１１０の底板１１２の内側に固定されるのが好適である。回路板２００は、一辺が穿孔１１３に隣接するように配置されている。また、回路板２００には、異なる位置に相互に独立したインバータ回路３００および接線回路４００が半田付けされている。接線回路４００は、穿孔１１３の側面に沿って配置され、複数の導電端子４１０および複数のダイオード４２０を有する。回路板２００は、少なくとも一つの嵌め込みスペース２１０を設けている。
また、框体１１０の底板１１２とソーラーパネル１０(図５，６参照）との間にも防水パッキング１３２が設けられ、その間を密閉する
【００１４】
インバータ回路３００は、入力ポート１０１および出力ポート１０２にそれぞれ電気的に接続し、複数の電子デバイス３１０（例えば、コンデンサ）を有する。回路板２００上には、体積が大きめな電子デバイス３１０を配置するのに用いられる回路板２００が設けられている。
【００１５】
導電端子４１０は、それぞれ金属片が曲げられてなり、クリップ状を呈するのが好適であるが、これに限定されるものではない。導電端子４１０は、回路板２００の一辺に沿って直列に設けられている。回路板２００のこの一辺は、穿孔１１３の一方の長辺に隣接して設けられるのが好適である。これにより、導電端子４１０が穿孔１１３に隣接して配置されるからである。導電端子４１０は、それぞれインバータ回路３００に電気的に接続し、任意の隣り合う二つの導電端子４１０の間には、ダイオード４２０が配置され、どのダイオード４２０も隣り合う二つの導電端子４１０とそれぞれ電気的に接続している。これにより、導電端子４１０を通過した電流が逆流するのを防いでいる。
【００１６】
回路板２００上には導熱板５００が設けられるのが好適である。導熱板５００は、一方の面が回路板２００に付着し、もう一方の面が框体１１０の底板１１２に付着している。これにより、インバータ回路３００の稼動時に発生した熱エネルギーを底板１１２に伝動し、さらに放熱空間１０３を介してカバー１００の外部に放出する。
【００１７】
図５〜７を参照して説明する。図５は、本考案のインバータモジュールの配置状態を示す分解斜視図である。図６は、本考案のインバータモジュールの配置状態を示す斜視図である。図７は、本考案のインバータモジュールの配置状態を示す断面図である。図５〜７に示すように、本考案のインバータモジュールは、ソーラーパネル１０上に配置され、複数の導電端子４１０によりソーラーパネル１０に接続されている。ソーラーパネル１０の発生した直流電流が複数の導電端子４１０を介してインバータ回路３００に流れ込み、交流電流に変換され、入力ポート１０１から出力され、使用される。
【００１８】
ソーラーパネル１０上にジャンクションボックスがすでに設けられている場合、本考案のインバータモジュールは、導電端子４１０を介してソーラーパネル１０に電気的に接続する必要がなく、出力ポート１０２によりソーラーパネル１０上のジャンクションボックスに電気的に接続すればよい。
【００１９】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２０】
１０  ソーラーパネル
１００  カバー
１０１  入力ポート
１０２  出力ポート
１０３  放熱空間
１１０  框体
１１１  開口
１１２  底板
１１３  穿孔
１１４  固定片
１１５  螺着孔
１２０  蓋
１２１  嵌合構造
１３１,１３２  防水パッキング
２００  回路板
２１０  嵌め込みスペース
３００  インバータ回路
３１０  電子デバイス
４００  接線回路
４１０  導電端子
４２０  ダイオード
５００  導熱板
【図１】
0003185702.tif 000003
【図２】
0003185702.tif 000004
【図３】
0003185702.tif 000005
【図４】
0003185702.tif 000006
【図５】
0003185702.tif 000007
【図６】
0003185702.tif 000008
【図７】
0003185702.tif 000009